(57)【要約】【目的】本発明は上部に非動作部、中間部に液体蓄積室、下部に電気モータを配設した縦設置型駆動ユニットにおいて、上部液体がシール部材からモータ部に漏れても簡単な構造でモータ内の電気電子機器部を汚染することのないモータ軸の液体切り構造を提供することを目的する。【手段】モータの回転軸と前記液体の蓄積槽の間の該モータの回転軸に液体切り手段を設け、前記液体切り手段の少なくともモータ側最外周部分を外周側で液体が落下する手段を設け、前記回転軸の前記液体切り手段により排除された液体を貯めるための蓄積部を設け、前記回転軸の前記液体切り手段により排除された液体を貯めるための蓄積部から外部に液体を抜くためのドレインを設けた。【選択図】　　　　図１
2004044581.tif 000002
【特許請求の範囲】
【請求項１】
上部に被動作部を、中間部に液体蓄積室を、下部に電気モータを配設し、該モータの回転軸又は／及び該モータの回転軸と共に回転する回転体の回転軸が前記液体蓄積室を貫通して被動作部へ伸びている縦設置型駆動ユニットにおいて、前記電気モータと前記液体蓄積室の間で、回転軸に液体切り手段を設けたことを特徴とする縦設置型駆動ユニット。
【請求項２】
前記液体切り手段を前記モータの回転軸又は／及びモータの回転軸に同軸で結合され該モータの回転軸と共に回転する回転体の回転軸に固定され、前記モータ軸上に中心点を持つ円盤状に形成されていることを特徴とする請求項１に記載の縦設置型駆動ユニット。
【請求項３】
前記液体切り手段の外周部に該外周部で液体が落下する手段を設けたことを特徴とする請求項１又は２に記載の縦設置型駆動ユニット。
【請求項４】
上部に非動作部、中間部に液体蓄積室、下部に電気モータを配設し、該モータの回転軸又は／及び該モータの回転軸と共に回転する回転体の回転軸が前記液体蓄積室を貫通して被動作部へ伸びている縦設置型駆動ユニットにおいて、前記モータの回転軸又はモータの回転軸に同
軸で結合され該モータの回転軸又は／及び該モータの回転軸と共に回転する回転体の回転軸に固定された前記液体切り手段により排除された液体を貯めるための液体蓄積部を前記液体切り手段と前記モータのハウジングの間の空間の前記液体切り手段が設置されている位置よりも下方に設けたことを特徴とする請求項１，２又は３に記載の回転軸を用いた縦設置型駆動ユニット。
【請求項５】
前記液体蓄積部に貯まった液体を該液体蓄積部より外部へ出すためのドレインを設けたことを特徴とする請求項４に記載の縦設置型駆動ユニット。
【発明の詳細な説明】
【０００１】
【発明の属する技術分野】
本発明は上部に非動作部、中間部に液体蓄積室、下部に電気モータを配設し、該モータの回転軸又は／及び該モータの回転軸と共に回転する回転体の回転軸が前記液体蓄積室を貫通して被動作部へ伸びている縦設置型駆動ユニットにおいて、前記液体がシール部材からモータ側に漏れても簡単な構造でモータ内の電気電子機器部を液体で汚染することを防止できる液体切り構造に関する。
【０００２】
【従来の技術】
従来、縦置型モータの上部に油や水等の液体蓄積室がある場合は、複数の複雑な軸シール構造をモータ軸部に設置して油や水等の液体がモータ部に漏洩しないようにしていた。例えば図５に示すように下部にモータのある非動作部としての一対のロータを持つ縦設置型駆動ユニットとしての縦置型回転真空ポンプの場合について説明する。１は回転ロータ２、３を収納するためハウジングである。回転ロータ２、３は回転軸４、５を介してモータ６により回転駆動される。回転軸２，３及び回転ロータ２，３は軸受７，８，９、１０を介してハウジング１に回転自在に保持されている。また、排気室１１へ軸受の潤滑油が漏れないように軸シール１２，１３，１４，１５が設けられている。吸気口１６から吸気されたガスが、排気室１１を通って排気口１７から排気される。１８は軸受やギア等を潤滑する為の潤滑油を貯める空間である。１９及び２０は潤滑油がモータ６側に漏れないようにするオイルシールである。
【発明が解決しようとする課題】
【０００３】
しかしながら、従来の技術では、軸シール部の磨耗や取り付け不良により、前記回転軸と軸シールの間に油や水等の液体がモータ側に漏れてしまい、モータ内の電子回路や電子・電気機器に漏洩すると、モータ機能を破壊してしまうという問題があった。例えば図５のような下部にモータを持つ縦置型回転式真空ポンプの場合には、モータ６を駆動することにより回転軸と接している２つのオイルシール１９及び２０の接触部が磨耗してしまうことや取り付け不良により隙間から油がモータ側に漏洩してしまうという問題が発生する。該潤滑油はモータハウジングと軸の隙間を通りモータ内に入ってしまい、モータ内の制御用電子・電気部品やコイル等の油で汚染されると故障してしまう多数の部品に付着し、最終的にはモータ内部に漏れた潤滑油のためにモータが故障してしまうという大きな問題があった。
【０００４】
【０００５】
【課題を解決するための手段】
上記課題を解決するため、請求項１の発明によれば、上部に被動作部を、中間部に液体蓄積室を、下部に電気モータを配設し、該モータの回転軸又は／及び該モータの回転軸と共に回転する回転体の回転軸が前記液体蓄積室を貫通して被動作部へ伸びている縦設置型駆動ユニットにおいて、前記電気モータと前記液体蓄積室の間で、回転軸に液体切り手段を設けたことを特徴とする。液体切り手段は、例えばお皿形状をした回転軸とは別部材の中心部に回転軸と同型の穴を開けて回転軸に装着する方法がある。また液体切りの形状としては回転軸よりも大きな半径ならばどんな形状でもよい。従って、回転軸の加工時に一部を削らずに残す方法もある。
【０００６】
請求項２の発明によれば、前記液体切り手段を前記モータの回転軸又は／及びモータの回転軸に同軸で結合され該モータの回転軸と共に回転する回転体の回転軸に固定され、前記モータ軸上に中心点を持つ円盤状に形成されていることを特徴とする。
【０００７】
請求項３の発明によれば、前記液体切り手段の外周部に該外周部で液体が落下する手段を設けたことを特徴とする。形状としては外周部分を外周側で重力方向に向かう曲線又は／及びテーパをつけることや、最外周部に下方に向かう折れ曲げ部を形成する等により潤滑油を前記液体切り手段の外周部分で落下させることができる。
【０００８】
請求項４の発明によれば、上部に液体を蓄えた蓄積空間があり本体が前記液体の蓄積槽の下部にある縦置型モータにおいて、前記モータの回転軸又はモータの回転軸に同軸で固定され該モータの回転軸と共に回転する回転体の回転軸に固定された前記液体切り手段により排除された液体を貯めるための液体蓄積部を前記液体切り手段と
前記モータのハウジングの間の空間に設けたことを特徴とする。モータ上の空間の最外周部のハウジング下部に溝を形成し、該溝に液体が流れるようにする方法がある。液体が溝に流れやすくするために回転軸から溝までの部分にテーパを付ける方法がある。
【０００９】
請求項５の発明によれば、前記液体蓄積部に貯まった液体を該液体蓄積部より外部へ出すためのドレインを設けたことを特徴とする。
【００１０】
【発明の実施の形態】
以下、本発明の縦置型スクリュー式真空ポンプへの適応例を図１及び図２を用いて説明する。
【００１１】
まず、本実施形態に係るスクリュー式真空ポンプ１００の構成について説明する。
【００１２】
スクリュー式真空ポンプ１００は、スクリュウロータ１０１及び１０２を備えている。スクリュウロータ１０１、１０２は、ハウジング１０３の内部に形成された排気側ロータ収納室としてのハウジング１０３に収納されている。詳述すると、スクリュウロータ１０１は軸受１０４及び１０５によってハウジング１０３に回転可能に支持され、スクリュウロータ１０２は軸受１０６及び１０７によってハウジング１０３に回転可能に支持されている。また、シール１０８，１０９、１１０及び１１１は軸受１０４、１０５、１０６及び１０７とハウジング１０３内の排気室１１０ｅとを隔離し、軸受１０４、１０５、１０６及び１０７の潤滑油がハウジング１０３内に漏洩することを防止するとともに、ハウジング１０３の排気室１１０ｅから軸受１０４、１０５、１０６及び１０７に異物が侵入することを防止している。
【００１３】
また、スクリュウロータ１０１及びスクリュウロータ１０２の一端部には、スクリュウロータ１０１及びスクリュウロータ１０２の一方の回転に伴ってスクリュウロータ１０１及びスクリュウロータ１０２の他方を回転させるタイミングギア１１２及び１１３が、それぞれ互いに噛み合うように固定されている。更に、スクリュウロータ１０２の一端部には、モータ１１４が一体的に連結している。
【００１４】
前記タイミングギア１１２及び１１３が収納されているギア室１１５は底部に潤滑油１１６が溜まっている。前記ギア室１１５と前期モータ１１４とはオイルシール１１７及び１１８でギア室１１５内の潤滑油１１６がモータ側に漏れないように封止されている。
【００１５】
１２８は、液体液体蓄積空間とモータ間に設けた中間体である。また、１１９は回転軸に固定された油切り円盤であり、オイルシール１１７及び１１８から漏れてきた油は該円盤１１９により回転軸１２０とモータ１１４の隙間に潤滑油が侵入しない位置まで持っていく。さらに、最外周部に曲げ部１２１があることにより油切り円盤１１９の下面１２２を伝播して再び回転軸１２０へ潤滑油が戻ることを防ぐことができるようになっている。液体蓄積部１２３は油切り円盤１１９の最外周部の曲げ部１２１から落下した又は運転時に遠心力で弾き飛ばされた潤滑油を貯めておくための中間体１２８に形成された潤滑油蓄積溝１２３である。潤滑油蓄積溝１２３で潤滑油を蓄積することにより、空間の底部に潤滑油が溜まって回転軸とモータの隙間からモータ内に漏洩するのを防ぐことができる。
【００１６】
さらに、ドレイン１２５を形成して潤滑油蓄積溝１２３から真空ポンプ外部に潤滑油を排出することができるようにすることによって、定期的に潤滑油蓄積溝１２３に溜まった潤滑油があふれてモータ１１４内に漏れる前に除去するために行っていた真空ポンプの分解作業をなくすことができる。本実施例ではモータ１１４とモータ軸の間にオイルシール１１８が設けられているが、該オイルシール１１８が磨耗して機能しなくなっても本件発明でモータ内を汚染することを防ぐことができるので、軸シール１１８が無くても本件発明を用いればモータ内を汚染する可能性は低くなる。図２は本実施例の油切り円盤の拡大図である。
【００１７】
本願発明の第二実施形状にかかる液体切り手段を示す。図３は雨よけの傘のように傘部３０１にテーパを付けた形状にしている。このような形状にすることにより液体を容易に外周部で落下させることができる。
【００１８】
本願発明の第三実施形状にかかる液体切り手段を示す。図４は傘部４０１が曲線になるように形成されている。このような形状にしても液体を容易に外周部で落下させることができる。
【００１９】
尚、本発明は上記実施例にある縦置型スクリュー式真空ポンプのみならず、横置型スクリュー式真空ポンプをはじめ、ルーツ式真空ポンプやクロー式真空ポンプ等の全ての真空ポンプについても適応可能であることは言うまでも無い。
【００２０】
【効果】
請求項１の発明によれば、上部に被動作部を、中間部に液体蓄積室を、下部に電気モータを配設し、該モータの回転軸又は／及び該モータの回転軸と共に回転する回転体の回転軸が前記液体蓄積室を貫通して被動作部へ伸びている縦設置型駆動ユニットにおいて、前記電気モータと前記液体蓄積室の間で、回転軸に液体切り手段を設けた構造にすることにより、たとえ液体用軸シールから油や水等の液体がモータ側に漏洩したとしても、前記回転軸に設けた液体切り手段により前記回転軸とモータハウジングの隙間から外れた外側に液体を逃がすことができるようになり、前記回転軸に沿ってモータ内部に侵入する液体を無くすことがでる。つまり、モータ軸に沿ってモータ内に漏洩した液体が、前記回転軸に設けた液体切り手段により前記回転軸とモータハウジングの隙間から外れた外側に液体を逃がすことができるようになり、液体のモータ内への侵入によるモータの破壊を防ぐことができる。
【００２１】
請求項２の発明によれば、前記液体切り手段を前記モータの回転軸又は／及びモータの回転軸に同軸で結合され該モータの回転軸と共に回転する回転体の回転軸に固定され、前記モータ軸上に中心点を持つ円盤状に形成されていることにより、加工の容易な液体切り用の円盤部材を回転軸とは別の部品として加工し、回転軸に固定することができる。
【００２２】
請求項３の発明によれば、前記液体切り手段の外周部に該外周部で液体が落下する手段を設けた構造にすることにより、液体切り手段の外周端部まで達した液体が液体切り手段の下面を伝達して再び回転軸へ戻ることを防ぐことができる。
【００２３】
請求項４の発明によれば、上部に液体を蓄えた蓄積空間があり本体が前記液体の蓄積槽の下部にある縦置型モータにおいて、前記モータの回転軸又はモータの回転軸に同軸で固定され該モータの回転軸と共に回転する回転体の回転軸に固定された前記液体切り手段により排除された液体を貯めるための液体蓄積部を前記液体切り手段と前記モータのハウジングの間の空間に設けた構成にすることにより液体切り手段でモータ内に侵入しないように排除された液体がモータハウジング上部の空間に蓄積し、再びモータ軸とモータハウジングの隙間を通りモータ内に漏洩することを防ぐことができる。
【００２４】
請求項５の発明によれば、前記液体蓄積部に貯まった液体を該液体蓄積部より外部へ出すためのドレインを設けた構成にすることにより前記液体切り手段により排除された液体を貯めるための蓄積部に溜まった液体を取り除
くための定期的なモータ部分のメンテナンスを無くすことができる。
【図面の簡単な説明】
【図１】本件発明を真空ポンプ適応した実施例である。
【図２】本件発明の第一実施例に係る液体切り円盤の拡大図である。
【図３】本件発明の液体切り円盤の第二実施例である。
【図４】本件発明の液体切り円盤の第三実施例である。
【図５】従来の真空ポンプの油よけの図である。
【符号の説明】
１００　　　　　　　　　　　　　　　　　　　　　　　　　スクリュー式真空ポンプ
１０１，１０２　　　　　　　　　　　　　　　　　スクリュウロータ
１０３　　　　　　　　　　　　　　　　　　　　　　　　　ハウジング
１０４，１０５，１０６，１０７　軸受
１０８，１０９、１１０，１１１　シール
１１０ｅ　　　　　　　　　　　　　　　　　　　　　　　排気室
１１２，１１３　　　　　　　　　　　　　　　　　タイミングギア
１１５　　　　　　　　　　　　　　　　　　　　　　　　　ギア室
１１６　　　　　　　　　　　　　　　　　　　　　　　　　潤滑油
１１４　　　　　　　　　　　　　　　　　　　　　　　　　モータ
１１７，１１８　　　　　　　　　　　　　　　　　オイルシール
１２８　　　　　　　　　　　　　　　　　　　　　　　　　液体液体蓄積空間とモータ間に設けた中間体
１１９　　　　　　　　　　　　　　　　　　　　　　　　　油切り円盤
１２０　　　　　　　　　　　　　　　　　　　　　　　　　回転軸
１２３　　　　　　　　　　　　　　　　　　　　　　　　　液体蓄積部
１２５　　　　　　　　　　　　　　　　　　　　　　　　　ドレイン
【図１】
2004044581.tif 000003
【図２】
2004044581.tif 000004
【図３】
2004044581.tif 000005
【図４】
2004044581.tif 000006
【図５】
2004044581.tif 000007